(57)【特許請求の範囲】
【請求項１】
略長方形板状に形成される第１筐体と、
略長方形板状に形成され、前記第１筐体に対して柔軟性を有するケーブルによって接続される第２筐体と、
前記第１および第２筐体のいずれか一方に形成されたスライドピンが、前記第１および第２筐体の他方に形成された案内溝に嵌合することによって、前記第１筐体と第２筐体とを係合させる係合手段とを含む構造体であって、
前記係合手段は、
前記第１筐体と前記第２筐体とを厚み方向へ重畳配置する第１状態から、
前記第２筐体を第１筐体に対して相対的に、前記第１筐体および第２筐体の長手方向および厚み方向に略直交する幅方向へスライド変位させた中間状態と、中間状態となった後、厚み方向および幅方向に略直交する長手方向へスライド変位させた第２状態とに切換え可能に構成され、
第１および第２筐体のうち少なくとも一方は、中間状態において第１および第２筐体のうちの他方に覆われかつ幅方向および長手方向の両方向への変位によって外方に露出する特定領域に、入力手段または出力手段をさらに備えることを特徴とする構造体。
【請求項２】
前記第１筐体は、操作入力部を含み、
前記第２筐体は、表示部を含み、
前記係合手段は、前記第２状態において、前記操作入力部の長手方向の中間部付近と、前記表示部の長手方向の中間部付近とを、長手方向に関して略同一の位置に配設させることを特徴とする請求項１記載の構造体。
【請求項３】
第１および第２筐体の少なくともいずれか一方は、前記特定領域に近接し、第１状態で露出している領域に、入力手段または出力手段をさらに備えることを特徴とする請求項１または２記載の構造体。
【請求項４】
略長方形板状に形成される第１筐体と、
略長方形板状に形成され、前記第１筐体に信号ケーブルによって電気的に接続される第２筐体と、
前記第１および第２筐体のいずれか一方に形成されたスライドピンが、前記第１および第２筐体の他方に形成された案内溝に嵌合することによって、前記第１筐体と第２筐体とを係合させる係合手段とを含む電子装置であって、
前記係合手段は、
前記第１筐体と前記第２筐体とを厚み方向へ重畳配置する第１状態から、
前記第２筐体を第１筐体に対して相対的に、前記第１筐体および第２筐体の長手方向および厚み方向に略直交する幅方向へスライド変位させた中間状態と、中間状態となった後、厚み方向および幅方向に略直交する長手方向へスライド変位させた第２状態とに切換え可能に構成され、
第１および第２筐体のうち少なくとも一方は、中間状態において第１および第２筐体のうちの他方に覆われかつ幅方向および長手方向の両方向への変位によって外方に露出する特定領域に、入力手段または出力手段をさらに備えることを特徴とする電子装置。
【発明の詳細な説明】
【技術分野】
【０００１】
本発明は、相対的に変位可能な２つの筐体を備える構造体および電子装置に関する。
本発明において、用語「略直交」は直交を含み、用語「略平行」は平行を含み、用語「略同一」は、同一を含む。また本発明において、用語「回転」は、３６０度未満の角変位および３６０度以上の回転を含む。
【背景技術】
【０００２】
表示部など設けられる筐体が、操作部が設けられる筐体に対して、スライド変位可能または角変位可能に構成される電子装置が種々実用に供されている。図２６は、第１の従来の技術の電子装置１を簡略化して示す正面図である。電子装置１は、キーボード２を備える第１の筐体３と、方向キーや機能キーなどの操作部４と表示部５とを備える第２の筐体６とが、スライド変位可能に構成される。
【０００３】
図２６（ａ）に示すように、電子装置１の各筐体３，６が重複している閉状態では、操作部４が操作者から見て手前側となり、表示部５が操作者から見て奥側となるように縦長方向で用いられる。図２６（ｂ）に示すように、電子装置１の第１の筐体３が第２の筐体６に対してスライド変位している開状態では、キーボード２が操作者から見て手前側となり、表示部５が操作者から見て奥側となるように横長方向で用いられる。したがって開状態と閉状態とでは、操作者が電子装置１を把持する方向が異なる。
【０００４】
図２７は、第２の従来の技術の電子装置７を簡略化して示す正面図である。電子装置７は、キーボード８を全面に備える第１の筐体９と、方向キーや機能キーなどの操作部１０と表示部１１とを備える第２の筐体１２とが、角変位可能に構成される。図２７（ａ）に示すように、電子装置７の各筐体９，１２が重複している閉状態では、操作部１０が操作者から見て手前側となり、表示部１１が操作者から見て奥側となるように縦長方向で用いられる。図２７（ｂ）に示すように、電子装置１の第１の筐体９が第２の筐体１２に対して１８０度角変位している開状態では、キーボード８が操作者から見て手前側となり、表示部１１が操作者から見て奥側となるように横長方向で用いられる。したがって開状態と閉状態とでは、操作者が電子装置７を把持する方向が異なる。
【０００５】
第３の従来の技術の携帯端末は、キーボードを備える第１の部材と、ディスプレイを備える第２の部材とから構成され、各部材は相対的にスライド変位可能および角変位可能に構成される。第１の部材および第２の部材のいずれか一方には、長手方向に延びるガイド長孔が設けられ、ガイド長孔を介して相対的にスライド可能に取り付けられ、かつ第１の部材および第２の部材のいずれか他方には、水平方向へ相対的に回転可能に構成される。第１の部材と第２の部材が重畳している閉状態では、第２の部材は長手方向に延びる縦画面で用いられ、第２の部材を第１の部材に対してスライドした後に９０度回転させた開状態では、幅方向に延びる横画面で用いられる（たとえば、特許文献１参照）。
【０００６】
第４の従来の技術の小型ビデオカメラは、カメラ本体と表示部との間の中継部が、表示部に対して開閉方向に回動可能であり、かつカメラ本体に対して取付面内方向に回動可能に構成され、中継部のカメラ本体に対する回動軸線を、表示部の幅の中心線からオフセットして構成される。このように２軸ヒンジの回動軸を表示部のセンターからずらすことによって、閉状態にて本体ユニットから表示ユニットがはみ出さないよう配置することができる（たとえば、特許文献２参照）。
【０００７】
【特許文献１】特開２００４−３２０５４９号公報
【特許文献２】特開平１１−２４３４９８号公報
【発明の開示】
【発明が解決しようとする課題】
【０００８】
第１および第２の従来の技術では、異なる２方向で操作者が電子装置１，７を操作するので、表示部５，１１を第２の筐体６，１２の中央部に配置することができない。キーボード２，８は、第１の筐体３，９の中間部に配置されるので、開状態では表示部５，１１の中間部とキーボード２，８の中間部がずれてしまい、操作性が損なわれるという問題がある。
【０００９】
第３および第４の従来の技術の装置では、表示部が操作部に対してスライド変位および角変位可能に構成されるが、このような構成では、閉状態でキーボードと表示部との中央部の位置がずれている場合、開状態でもキーボードと表示部との中央部がずれてしまい、操作性が悪いという問題がある。また第３および第４の従来の技術の装置では、２軸ヒンジ構造であるので、構造的に複雑であり、製造コストが高いという問題がある。
【００１０】
したがって本発明の目的は、簡単な構成で、第１の筐体と第２の筐体とが、開状態と閉状態とにわたって、所望の位置に配置可能な構造体および電子装置を提供することである。
【課題を解決するための手段】
【００１３】
本発明は、略長方形板状に形成される第１筐体と、
略長方形板状に形成され、前記第１筐体に対して柔軟性を有するケーブルによって接続される第２筐体と、
前記第１および第２筐体のいずれか一方に形成されたスライドピンが、前記第１および第２筐体の他方に形成された案内溝に嵌合することによって、前記第１筐体と第２筐体とを係合させる係合手段とを含む構造体であって、
前記係合手段は、
前記第１筐体と前記第２筐体とを厚み方向へ重畳配置する第１状態から、
前記第２筐体を第１筐体に対して相対的に、前記第１筐体および第２筐体の長手方向および厚み方向に略直交する幅方向へスライド変位させた中間状態と、中間状態となった後、厚み方向および幅方向に略直交する長手方向へスライド変位させた第２状態とに切換え可能に構成され、
第１および第２筐体のうち少なくとも一方は、中間状態において第１および第２筐体のうちの他方に覆われかつ幅方向および長手方向の両方向への変位によって外方に露出する特定領域に、入力手段または出力手段をさらに備えることを特徴とする構造体である。
【００１５】
また本発明は、前記第１筐体は、操作入力部を含み、
前記第２筐体は、表示部を含み、
前記係合手段は、前記第２状態において、前記操作入力部の長手方向の中間部付近と、前記表示部の長手方向の中間部付近とを、長手方向に関して略同一の位置に配設させることを特徴とする。
【００１７】
また本発明は、第１および第２筐体の少なくともいずれか一方は、前記特定領域に近接し、第１状態で露出している領域に、入力手段または出力手段をさらに備えることを特徴とする。
【００１８】
また本発明は、略長方形板状に形成される第１筐体と、
略長方形板状に形成され、前記第１筐体に信号ケーブルによって電気的に接続される第２筐体と、
前記第１および第２筐体のいずれか一方に形成されたスライドピンが、前記第１および第２筐体の他方に形成された案内溝に嵌合することによって、前記第１筐体と第２筐体とを係合させる係合手段とを含む電子装置であって、
前記係合手段は、
前記第１筐体と前記第２筐体とを厚み方向へ重畳配置する第１状態から、
前記第２筐体を第１筐体に対して相対的に、前記第１筐体および第２筐体の長手方向および厚み方向に略直交する幅方向へスライド変位させた中間状態と、中間状態となった後、厚み方向および幅方向に略直交する長手方向へスライド変位させた第２状態とに切換え可能に構成され、
第１および第２筐体のうち少なくとも一方は、中間状態において第１および第２筐体のうちの他方に覆われかつ幅方向および長手方向の両方向への変位によって外方に露出する特定領域に、入力手段または出力手段をさらに備えることを特徴とする電子装置である。
【発明の効果】
【００２１】
本発明によれば、係合手段は、第１および第２筐体のいずれか一方に形成されたスライドピンが、第１および第２筐体の他方に形成された案内溝に嵌合することによって、各筐体が重畳する第１状態から、第１筐体が第２筐体に対して、幅方向および長手方向にわたって相対的にスライド変位して、第２状態に切換え可能に構成される。これによって第２筐体は、第２状態では、第１筐体に対して、幅方向および長手方向にずれた位置に配設可能である。従来の技術のように、第２筐体が、第１筐体に対して、予め定める１方向のみにずれた位置に配設される場合とは異なり、幅方向および長手方向の異なる２方向にずれた位置に配設可能である。これによって、操作者は、第１および第２筐体を用いるために好適な配置状態に、各筐体の相対位置を変更することができ、利便性が向上する。第１状態から第２状態にわたる切換え動作を、２軸ヒンジ構造を含む従来の構造などに比べて、簡単な構成で実施することができる。
また、係合手段は、第１および第２筐体のいずれか一方に形成されたスライドピンが、第１および第２筐体の他方に形成された案内溝に嵌合することによって、第２筐体を第１筐体に対して相対的に、幅方向へスライド変位させて中間状態とし、中間状態とした後、長手方向へスライド変位させて、切換え動作させ得る。これによって係合手段は、第２筐体を幅方向へスライド変位させた中間状態から、長手方向へスライド変位させることによって、第１状態と中間状態と第２状態とを切換え動作可能である。したがって係合手段は、２段階で、第１状態から第２状態に切換え動作させるので、幅方向だけにスライド変位した中間状態で、構造体を用いることができ、また幅方向および長手方向にスライド変位した第２状態でも構造体を用いることができる。したがって操作者は、好適な状態で構造体を用いることができ、汎用性を向上することができる。
さらに、第１および第２筐体の少なくともいずれか一方は、中間状態において第１および第２筐体のうちの他方に覆われかつ幅方向および長手方向の両方への変位によって外方に露出する特定領域に、入力手段または出力手段をさらに備える。したがって操作者は、幅方向または長手方向のいずれか一方向のみへの変位では用いることができない特定領域を有効に用いることができる。また入力手段および出力手段を追加することができるので、利便性を向上することができる。
【００２３】
さらに本発明によれば、係合手段は、第２状態において、第１筐体の操作入力部の長手方向の中間部付近と、第２筐体の表示部の長手方向の中間部付近とを、長手方向に関して略同一の位置に配設させる。従来の技術のように、第１状態から予め定める１方向にのみ変位させると、表示部の中間部付近と操作入力部の中間部付近とが長手方向に関してずれ、操作感が損なわれるという問題があったが、本発明のように、幅方向および長手方向へスライド変位させることによって、操作入力部と表示部との長手方向の中間部付近とを、長手方向に関して略同一の位置に配設させる。これによって操作者は、複数の筐体からなる構造体であっても、表示部と操作入力部との中間部付近の位置を略同一の位置に配設して、良好な操作感を得ることができる。
【００２５】
さらに本発明によれば、第１および第２筐体の少なくともいずれか一方は、前記特定領域に近接し、第１状態で露出している領域に、入力手段または出力手段をさらに備える。これによって従来技術では入力手段または出力手段を備えても利用しにくかった領域を、第２状態では有効に利用することができる。
【００２６】
本発明によれば、係合手段は、第１および第２筐体のいずれか一方に形成されたスライドピンが、第１および第２筐体の他方に形成された案内溝に嵌合することによって、各筐体が重畳する第１状態から、第１筐体が第２筐体に対して、幅方向および長手方向にわたって相対的にスライド変位して、第２状態に切換え可能に構成される。これによって第２筐体は、第２状態では、第１筐体に対して、幅方向および長手方向にずれた位置に配設可能である。従来の技術のように、第２筐体が、第１筐体に対して、予め定める１方向のみにずれた位置に配設される場合とは異なり、幅方向および長手方向の異なる２方向にずれた位置に配設可能である。これによって、操作者は、第１および第２筐体を用いるために好適な配置状態に、各筐体の相対位置を変更することができ、利便性が向上する。また係合手段は、２段階で、第１状態から中間状態と第２状態とを切換え動作させるので、幅方向だけにスライド変位した中間状態で、構造体を用いることができ、また幅方向および長手方向にスライド変位した第２状態でも構造体を用いることができる。したがって操作者は、好適な状態で構造体を用いることができ、汎用性を向上することができる。
さらに、第１および第２筐体の少なくともいずれか一方は、中間状態において第１および第２筐体のうちの他方に覆われかつ幅方向および長手方向の両方への変位によって外方に露出する特定領域に、入力手段または出力手段をさらに備える。したがって操作者は、幅方向または長手方向のいずれか一方向のみへの変位では用いることができない特定領域を有効に用いることができる。また入力手段および出力手段を追加することができるので、利便性を向上することができる。
【発明を実施するための最良の形態】
【００２７】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２８】
図１は、本発明の実施の一形態の電子装置２０を簡略化して示す正面図である。図２は、閉状態にある電子装置２０の要部を示す正面図である。図３は、図２のＳ３−Ｓ３切断面線から見た電子装置２０を簡略化して示す断面図である。図４は、図２のＳ４−Ｓ４切断面線から見た電子装置２０を簡略化して示す断面図である。図５は、開状態にある電子装置２０の要部を示す正面図である。図６は、図５のＳ６−Ｓ６切断面線から見た電子装置２０を簡略化して示す断面図である。図７は、図５のＳ７−Ｓ７切断面線から見た電子装置２０を簡略化して示す断面図である。電子装置２０は、キーボード２１を備える本体ユニット２２、表示部２３を備える表示ユニット２４、および本体ユニット２２と表示ユニット２４を係合するスライドヒンジ２５を含んで構成される。
【００２９】
電子装置２０は、図１（ａ）に示すように、本体ユニット２２と表示ユニット２４とを厚み方向Ｚ一方から見て略同位置に配置される第１状態である閉状態と、図１（ｂ）に示すように、厚み方向Ｚ一方から見て幅方向Ｙおよび長手方向Ｘに変位した位置に配置される第２状態である開状態とに切換え可能に構成される。換言すると、本体ユニット２２上に表示ユニット２４を重畳配置した閉状態から、表示ユニット２４を、本体ユニット２２に対して相対的に幅方向Ｙおよび長手方向Ｘに所定量移動した開状態へ切換え可能に構成される。電子装置２０は、たとえば携帯電話、情報端末装置およびパーソナルコンピュータ（Personal Computer略称：ＰＣ）によって実現される。
【００３０】
本体ユニット２２および表示ユニット２４は、略長方形板状に構成され、各ユニット２２，２４は略同一の寸法に構成される。本体ユニット２２は、第１筐体であって、厚み方向一端面部に操作入力部であるキーボード２１および出力手段である発光ダイオード（
Light Emitting Diode：略称ＬＥＤ）２７が設けられ、幅方向一端面部に幅方向Ｙ一方に突出して入力手段であるサイドキー２６が設けられる。キーボード２１は、本体ユニット２２の厚み方向一端面部の幅方向Ｙおよび長手方向Ｘの中央部に設けられる。ＬＥＤ２７は、開状態では、外方に露出する特定領域に設けられる。したがってＬＥＤ２７は、閉状態では表示ユニット２４によって覆われている。またサイドキー２６は、前記特定領域に近接し、閉状態で露出している領域に設けられる。
【００３１】
表示ユニット２４は、第２筐体であって、厚み方向一端面部に出力手段である表示部２３、方向キーや機能キーなどの操作部２８およびスピーカ２９が設けられる。表示部２３は、表示ユニット２４の長手方向一方寄りに設けられ、操作部２８は、長手方向他方寄りに設けられる。
【００３２】
スライドヒンジ２５は、係合手段であって、一方のユニットを他方のユニットに対して、相対的にスライド変位可能に構成される。スライドヒンジ２５は、本体ユニット２２と表示ユニット２４とを厚み方向Ｚに積層した状態で係合している。スライドヒンジ２５は、スライドピン３０および案内溝３１を含んで構成される。本体ユニット２２の厚み方向他端面部には、厚み方向Ｚ他方に突出するスライドピン３０が斜め方向Ｔに沿って対をなして２つ設けられる。第４方向である斜め方向Ｔは第１方向である厚み方向Ｚに略垂直な方向であって、厚み方向Ｚに略直交する第２方向である幅方向Ｙと、厚み方向Ｚおよび幅方向Ｙに略直交する第３方向である長手方向Ｘに交差する方向である。表示ユニット２４の厚み方向他端面部には、厚み方向Ｚに凹となる案内溝３１が斜め方向Ｔに沿って設けられ、この案内溝３１にスライドピン３０が嵌合可能に構成される。
【００３３】
スライドピン３０は、図２に示すように、閉状態では、斜め方向Ｔ他方寄りのスライドピン３０が案内溝３１の斜め方向Ｔ他方側に当接し、図５に示すように、開状態では、斜め方向Ｔ一方寄りのスライドピン３０が案内溝３１の斜め方向Ｔ一方側に当接する。
【００３４】
したがってスライドヒンジ２５によって電子装置２０は、本体ユニット２２と表示ユニット２４とを厚み方向Ｚへ重畳配置する閉状態（図１（ａ）参照）と、表示ユニット２４を本体ユニット２２に対して、幅方向Ｙと長手方向Ｘとにわたって相対的に変位する開状態（図１（ｂ）参照）とに切換え可能に構成される。
【００３５】
本体ユニット２２と表示ユニット２４とは、厚み方向Ｚに重畳配置することによって、厚み方向Ｚ両方から見て、一方のユニットと他方のユニットとの外縁とを略同一の位置に配置することができる。このような重複配置されている閉状態から、一方のユニットと他方のユニットに対して、斜め方向Ｔへスライド変位させることによって、開状態に配置して、キーボード２１を露出させることができる。
【００３６】
電子装置２０が閉状態にある場合、操作部２８が操作者から見て手前側となり、表示部２３が操作者から見て奥側となるように縦長方向で用いられる。電子装置２０が開状態にある場合、キーボード２１が操作者から見て手前側となり、表示部２３が操作者から見て奥側となるように横長方向で用いられる。したがって開状態と閉状態とでは、操作者が電子装置２０を把持する方向が異なり、また表示部２３が表示する情報の表示方向が、操作者が視認する方向となるように制御される。
【００３７】
またスライドヒンジ２５は、本体ユニット２２と表示ユニット２４とを電気的に接続する信号ケーブル３２を含み、信号ケーブル３２によって電気的に接続可能に構成される。信号ケーブル３２は、柔軟性を有し、開状態および閉状態の場合でも、本体ユニット２２と表示ユニット２４とを連続して電気的に接続可能に構成される。
【００３８】
斜め方向Ｔの幅方向Ｙに対する傾きは、開状態の場合に、キーボード２１の長手方向中間部付近と、表示部２３の長手方向中間部付近とが、長手方向Ｘに関して略同一となるように規定される。たとえば閉状態で、キーボード２１の長手方向中間部付近と、表示部２３の長手方向中間部付近との長手方向Ｘの間隔Ｄ１が２０ｍｍであり、キーボード２１を開状態で露出させるために必要な幅方向Ｙのスライド量Ｈ１が４０ｍｍの場合、斜め方向Ｔの幅方向Ｙに対するスライド角度θは、次式（１）に示すように、間隔Ｄ１をスライド量Ｈ１で除した値の逆正接（arctangent）関数から算出される。
θ＝ａｒｃｔａｎ（Ｄ１／Ｈ１）                                    …（１）式（１）によって算出されたスライド角度θを用いて斜め方向Ｔを規定することによって、開状態でキーボード２１の長手方向中間部付近と、表示部２３の長手方向中間部付近とが、長手方向Ｘに関して略同一とすることができる。本実施の形態では、算出されたスライド角度θを用いて斜め方向Ｔを規定することによって、開状態でのキーボード２１の長手方向中間部付近と、表示部２３の長手方向中間部付近との長手方向Ｘの間隔Ｄ１が約０ｍｍとすることができる。
【００３９】
以上説明したように、本実施の形態の電子装置２０では、スライドヒンジ２５は、各ユニット２２，２４が重畳する閉状態と、本体ユニット２２が表示ユニット２４に対して、幅方向Ｙおよび長手方向Ｘにわたって相対的に変位する開状態とに切換え可能に構成される。これによって表示ユニット２４は、開状態では、本体ユニット２２に対して、幅方向Ｙおよび長手方向Ｘにずれた位置に配設可能である。従来の技術のように、表示ユニット２４が、本体ユニット２２に対して、予め定める１方向のみにずれた位置に配設される場合とは異なり、幅方向Ｙおよび長手方向Ｘの異なる２方向にずれた位置に配設可能である。これによって、操作者は、各ユニット２２，２４を用いるために好適な配置状態に、各ユニット２２，２４の相対位置を変更することができ、利便性が向上する。第１状態から第２状態にわたる切換え動作を、２軸ヒンジ構造を含む従来の構造などに比べて、簡単な構成で実施することができる。
【００４０】
また本実施の形態では、スライドヒンジ２５は、表示ユニット２４を本体ユニット２２に対して、斜め方向Ｔへ相対的にスライド変位させて切換え動作させ得る。これによってスライドヒンジ２５は、斜め方向Ｔへスライド変位させることによって、閉状態と開状態とを切換え動作可能である。したがってスライドヒンジ２５は、単純な構成で切換え動作を実現することができ、製造コストを低減することができる。
【００４１】
さらに本実施の形態では、スライドヒンジ２５は、開状態において、本体ユニット２２のキーボード２１の長手方向Ｘの中間部付近と、表示部２３の長手方向Ｘの中間部付近とを、長手方向Ｘに関して略同一の位置に配設させる。従来の技術のように、閉状態から予め定める１方向にのみ変位させると、表示部２３の中間部付近とキーボード２１の中間部付近とが長手方向Ｘに関してずれ、操作感が損なわれるという問題があったが、本発明のように、幅方向Ｙおよび長手方向Ｘへスライド変位させることによって、キーボード２１と表示部２３との長手方向Ｘの中間部付近とを、長手方向Ｘに関して略同一の位置に配設させる。これによって操作者は、複数のユニットからなる電子装置２０であっても、表示部２３とキーボード２１との中間部付近の位置を略同一の位置に配設して、良好な操作感を得ることができる。
【００４２】
さらに本実施の形態では、各ユニット２２，２４の少なくともいずれか一方は、幅方向Ｙおよび長手方向Ｘの両方向への変位によって外方に露出する特定領域にＬＥＤ２７をさらに備える。特定領域は、換言すると、幅方向Ｙへ変位しただけでは露出せず、幅方向Ｙへの変位に加え更に長手方向Ｘへ変位した場合に露出する領域である。したがって操作者は、従来の技術のように閉状態から予め定める１方向にのみ変位させただけでは用いることができない特定領域を有効に用いることができる。またＬＥＤ２７の他に、たとえば追加キー、小型の表示器、マイクおよびスピーカ２９などの入出力手段を追加することができるので、利便性を向上することができる。
【００４３】
さらに本実施の形態では、各ユニット２２，２４の少なくともいずれか一方は、前記特定領域に近接し、閉状態で露出している領域に、サイドキー２６をさらに備える。換言すると、サイドキー２６は、特定領域に近接し、幅方向一端面の領域に設けられる。これによって従来の技術のように閉状態から予め定める１方向にのみ変位させた開状態ではサイドキー２６を備えても利用しにくかった領域を、有効に利用することができる。換言すると、表示ユニット２４と本体ユニット２２が左右にずれるため、開状態においても、操作者は、サイドキー２６の押下が容易となる。またこの特定領域に近接する幅方向一端面の領域にたとえば入出力端子を設ける場合、入出力端子へのジャックの挿抜が容易になる。
【００４４】
次に本実施の形態の他の例に関して説明する。図８は、本実施の形態の他の例の電子装置２０ａを簡略化して示す正面図である。図８に示す電子装置２０ａでは、各ユニット２２ａ，２４ａの厚み方向Ｚから見て示す形状が、略平行四辺形となるように構成される。長手方向両端部の辺部の傾きθは、斜め方向Ｔと略同一となるように設定される。このように構成されることによって、図８（ａ）に示す閉状態、および図８（ｂ）に示す開状態ともに表示ユニット２４ａと本体ユニット２２ａとが一体感を持たせることができる。
【００４５】
次に、実施の他の形態に関して説明する。図９は、本発明の実施の他の形態の電子装置２０ｂを簡略化して示す正面図である。図１０は、閉状態にある電子装置２０ｂの要部を示す正面図である。図１１は、図１０のＳ１１−Ｓ１１切断面線から見た電子装置２０ｂを簡略化して示す断面図である。図１２は、図１０のＳ１２−Ｓ１２切断面線から見た電子装置２０ｂを簡略化して示す断面図である。図１３は、閉状態と開状態とに移行する中間状態にある電子装置２０ｂの要部を示す正面図である。図１４は、図１３のＳ１４−Ｓ１４切断面線から見た電子装置２０ｂを簡略化して示す断面図である。図１５は、図１３のＳ１５−Ｓ１５切断面線から見た電子装置２０ｂを簡略化して示す断面図である。図１６は、開状態にある電子装置２０ｂの要部を示す正面図である。図１７は、図１６のＳ１７−Ｓ１７切断面線から見た電子装置２０ｂを簡略化して示す断面図である。図１８は、図１６のＳ１８−Ｓ１８切断面線から見た電子装置２０ｂを簡略化して示す断面図である。本実施の形態の電子装置２０ｂを構成するスライドヒンジ２５は、閉状態から、表示ユニット２４を本体ユニット２２に対して相対的に、幅方向Ｙへスライド変位させて中間状態へ切換え、その後、長手方向Ｘへスライド変位させて、開状態へ切換え動作させ得る点に特徴を有する。
【００４６】
スライドピン３０は、本体ユニット２２の厚み方向他端面部には、厚み方向他方に突出して設けられ、幅方向Ｙに沿って対をなして２つ設けられる。案内溝３１は、表示ユニット２４の厚み方向他端面部に、厚み方向Ｚに凹となる案内溝３１が幅方向Ｙに沿って延びる第１案内溝３１ａ、および長手方向Ｘに沿って延びる第２案内溝３１ｂを含んで構成される。換言すると、案内溝３１は、厚み方向一方から見て略Ｌ字状に形成される。
【００４７】
スライドピン３０は、図９（ａ）および図１０に示すように、閉状態では、幅方向一方寄りのスライドピン３０が第１案内溝３１ａの幅方向一方側に当接する。閉状態では、スライドピン３０は、幅方向他方への変位のみが許容される。閉状態から表示ユニット２４を本体ユニット２２に対して幅方向一方へスライド変位させると、図９（ｂ）および図１３に示す中間状態となる。中間状態では、幅方向他方よりのスライドピン３０は、第１案内溝３１ａの幅方向他方側に当接する。中間状態では、スライドピン３０は、長手方向一方への変位と、幅方向一方への変位とが許容される。中間状態から表示ユニット２４を本体ユニット２２に対して長手方向一方へスライド変位させると、図９（ｃ）および図１６に示す開状態となる。スライドピン３０は、開状態では２つのスライドピン３０が第２案内溝３１ｂの長手方向一方側に当接する。開状態では、スライドピン３０は、長手方向他方への変位のみが許容される。
【００４８】
第１案内溝３１ａの幅方向Ｙの寸法は、キーボード２１を開状態で露出させるために必要な寸法Ｈ２に基づいて設定される。第２案内溝３１ｂの長手方向Ｘの寸法Ｄ２は、開状態でキーボード２１の長手方向中間部付近と、表示部２３の長手方向中間部付近とが、長手方向Ｘに関して略同一となるような寸法に設定される。
【００４９】
表示ユニット２４は、厚み方向他端面部であって、幅方向他端部の長手方向他端部に隠れスイッチ３３がさらに設けられる。隠れスイッチ３３は、開状態では、外方に露出する特定領域に設けられ、閉状態および中間状態では本体ユニット２２によって覆われている。
【００５０】
表示部２３は、キーボード２１の機能を説明するための機能情報を出力可能に構成される。表示部２３は、機能情報をキーボード２１のキーに最も近い領域３４に、各キーに対応して設けられる。機能情報は、たとえば図９（ｂ）に示すように、機能Ａ〜機能Ｃまで３つあり、中間状態では、機能Ａは数字５のキーに割り当てられ、順次、機能Ｂは数字６のキー、および機能Ｃは、数字７のキーに割り当てられる。
【００５１】
図９（ｃ）に示すように、中間状態から開状態に切換わると、機能情報が出力される領域３４と、近接するキーの位置関係が変わるので、割り当てるキーを変更するように制御される。機能情報は、たとえば図９（ｃ）に示すように、機能Ａは数字４のキーに割り当てられ、順次、機能Ｂは数字５のキー、および機能Ｃは、数字６のキーに割り当てられる。
【００５２】
以上説明したように、本実施の形態では、スライドヒンジ２５は、閉状態から、表示ユニット２４を本体ユニット２２に対して相対的に、幅方向Ｙへスライド変位させ、その後、長手方向Ｘへスライド変位させて、開状態へ切換え動作させ得る。これによってスライドヒンジ２５は、表示ユニット２４を幅方向Ｙへスライド変位させた状態から、長手方向Ｘへスライド変位させることによって、閉状態と開状態とを切換え動作可能である。したがってスライドヒンジ２５は、２段階で、閉状態と開状態とを切換え動作させるので、幅方向Ｙだけにスライド変位した中間状態で、電子装置２０ｂを用いることができ、また幅方向Ｙおよび長手方向Ｘにスライド変位した開状態でも電子装置２０ｂを用いることができる。したがって操作者は、好適な状態で電子装置２０ｂを用いることができ、汎用性を向上することができる。
【００５３】
また本実施の形態では、中間状態と開状態とで表示部２３によって表示される機能情報を変更するので、操作者は表示部２３の位置によって間違うことなく機能が割り当たれるファンクションキーを用いることができる。このファンクションキーは、たとえばサイドキー２６および隠れスイッチ３３に割り当てるように構成してもよく、たとえば開状態にあるときだけ、サイドキー２６および隠れスイッチ３３に位置に対応する表示部２３の表示領域に、サイドキー２６および隠れスイッチ３３に割り当てられる機能情報を表示するように表示部２３を制御してもよい。
【００５４】
次に、実施のさらに他の形態に関して説明する。図１９は、本発明の実施のさらに他の形態の電子装置２０ｃを簡略化して示す正面図である。図２０は、閉状態にある電子装置２０ｃの要部を示す正面図である。図２１は、閉状態にある電子装置２０ｃを簡略化して示す断面図である。図２２は、開状態にある電子装置２０ｃの要部を示す正面図である。図２３は、開状態にある電子装置２０ｃを簡略化して示す断面図である。本実施の形態の電子装置２０ｃは、回転ヒンジ３５を含んで構成され、回転ヒンジ３５によって、表示ユニット２４を本体ユニット２２に対して、厚み方向Ｚに略平行な回転軸線Ｌ１まわりに相対的に角変位可能に構成される点に特徴を有する。
【００５５】
回転ヒンジ３５は、本体ユニット２２および表示ユニット２４の中心線からずれた位置に配置される。たとえば閉状態で、キーボード２１の長手方向中間部付近と、表示部２３の長手方向中間部付近との長手方向Ｘの間隔Ｄ３が２０ｍｍの場合、間隔Ｄ３の半分の１０ｍｍずれた位置に、回転ヒンジ３５の回転軸線Ｌ１が配置される。また回転軸線Ｌ１の幅方向Ｙの位置は、キーボード２１を開状態で露出させるために必要な位置に配置される。
【００５６】
このような位置に回転軸線Ｌ１を配置することによって、閉状態から表示ユニット２４を本体ユニット２２に対して回転軸線Ｌ１まわりに１８０度角変位させると、図１９（ｂ）に示すように開状態となり、キーボード２１の長手方向中間部付近と、表示部２３の長手方向中間部付近とが、長手方向Ｘに関して略同一とすることができる。
【００５７】
以上説明したように、本実施の形態では、回転ヒンジ３５は、表示ユニット２４を本体ユニット２２に対して、厚み方向Ｚに略平行な回転軸Ｌ１線まわりに相対的に角変位させて、切換え動作させ得る。これによって回転ヒンジ３５は、閉状態と開状態とに切換え動作可能である。したがって回転ヒンジ３５は、簡単な構成で本発明の電子装置２０ｃを実現することができ、製造コストを低減することができる。
【００５８】
次に、実施のさらに他の形態に関して説明する。図２４は、本発明の実施のさらに他の形態の電子装置２０ｄを簡略化して示す正面図である。本実施の形態の電子装置２０ｄは、表示部２３が表示ユニット２４に対してスライド変位可能に構成される点に特徴を有する。
【００５９】
図２４（ａ）に示すように、閉状態では、各ユニット２２，２４が重畳位置に配置され、閉状態から表示ユニット２４を本体ユニット２２に対して幅方向一方に、相対的にスライド変位させることによって、図２４（ｂ）に示すように、中間状態に切換わる。中間状態では、表示部２３を表示ユニット２４に対して長手方向一方へ相対的にスライド変位させると、図２４（ｃ）に示す開状態となる。
【００６０】
このように本実施の形態では、表示部２３が第２筐体として機能し、第１筐体である本体ユニット２２に対して長手方向Ｘにスライド変位可能に構成される。これによって表示ユニット２４全体を本体ユニット２２に対して変位させることなく、表示部２３だけを変位させることによって、キーボード２１の長手方向中間部付近と、表示部２３の長手方向中間部付近とが、長手方向Ｘに関して略同一とすることができる。これによって開状態では、厚み方向一方から見て、略長方形状となるので、形状に均一性があり、開状態において意匠性を損なうことを防ぐことができる。
【００６１】
次に、実施のさらに他の形態に関して説明する。図２５は、本発明の実施のさらに他の形態の電子装置２０ｅを簡略化して示す正面図である。本実施の形態の電子装置２０ｅは、表示ユニット２４にスピーカ２９ａを備え、本体ユニット２２にスピーカ２９ｂを備える点に特徴を有する。
【００６２】
表示ユニット２４には、長手方向一端部に、厚み方向Ｚに貫通し、幅方向Ｙ両端部に挿通する貫通孔３６が形成され、厚み方向一端面部であって、長手方向他端部に、第１スピーカ２９ａが設けられる。本体ユニット２２には、厚み方向一端面部であって、長手方向一端部に第２スピーカ２９ｂが設けられる。第１スピーカ２９ａおよび第２スピーカ２９ｂが出力する音声は、それぞれ異なるように制御することができ、これによってたとえばステレオ出力が可能である。
【００６３】
図２５（ａ）に示す閉状態では、第２スピーカ２９ｂは、表示ユニット２４の幅方向一端部によって覆われているが、第２スピーカ２９ｂは貫通孔３６に臨んで設けられる。これによって第２スピーカ２９ｂから出力される音声は、貫通孔３６を介して、外部に出力可能である。したがって閉状態であっても、第１および第２スピーカ２９ａ，２９ｂを用いて、音声情報を出力することができる。
【００６４】
図２５（ｂ）に示す中間状態では、第２スピーカ２９ｂは、表示ユニット２４の幅方向他端部によって覆われているが、前述したように、第２スピーカ２９ｂは貫通孔３６に臨んで設けられる。これによって第２スピーカ２９ｂから出力される音声は、貫通孔３６を介して、外部に出力可能である。したがって中間状態であっても、第１および第２スピーカ２９ａ，２９ｂを用いて、音声情報を出力することができる。図２５（ｃ）に示す開状態では、第２スピーカ２９ｂは露出しているので、第１および第２スピーカ２９ａ，２９ｂを用いて、音声情報を出力することができる。
【００６５】
このように、各ユニット２２，２４の位置関係が変化する電子装置２０ｅであっても、貫通孔３６およびスピーカ２９などの出力手段の配置関係を、特定領域に配置するなどして、不必要に出力手段を増加させることなく、効果的に出力手段を用いることができる。また開状態では、第１スピーカ２９ａと第２スピーカ２９ｂとの距離が、閉状態のときよりも大きくなるので、操作者はステレオとしてより臨場感のある音声を聴取することができる。
【００６６】
前述の実施の形態では、各ユニット２２，２４は電気的に接続されているが、これに限ることはなく、電気的に接続されていない電子装置、換言すると、第１筐体および第２筐体を含む構造体であっても、同様の効果を達成することができる。
【図面の簡単な説明】
【００６７】
【図１】本発明の実施の一形態の電子装置２０を簡略化して示す正面図である。
【図２】閉状態にある電子装置２０の要部を示す正面図である。
【図３】図２のＳ３−Ｓ３切断面線から見た電子装置２０を簡略化して示す断面図である。
【図４】図２のＳ４−Ｓ４切断面線から見た電子装置２０を簡略化して示す断面図である。
【図５】開状態にある電子装置２０の要部を示す正面図である。
【図６】図５のＳ６−Ｓ６切断面線から見た電子装置２０を簡略化して示す断面図である。
【図７】図５のＳ７−Ｓ７切断面線から見た電子装置２０を簡略化して示す断面図である。
【図８】本実施の形態の他の例の電子装置２０ａを簡略化して示す正面図である。
【図９】本発明の実施の他の形態の電子装置２０ｂを簡略化して示す正面図である。
【図１０】閉状態にある電子装置２０ｂの要部を示す正面図である。
【図１１】図１０のＳ１１−Ｓ１１切断面線から見た電子装置２０ｂを簡略化して示す断面図である。
【図１２】図１０のＳ１２−Ｓ１２切断面線から見た電子装置２０ｂを簡略化して示す断面図である。
【図１３】閉状態と開状態とに移行する中間状態にある電子装置２０ｂの要部を示す正面図である。
【図１４】図１３のＳ１４−Ｓ１４切断面線から見た電子装置２０ｂを簡略化して示す断面図である。
【図１５】図１３のＳ１５−Ｓ１５切断面線から見た電子装置２０ｂを簡略化して示す断面図である。
【図１６】開状態にある電子装置２０ｂの要部を示す正面図である。
【図１７】図１６のＳ１７−Ｓ１７切断面線から見た電子装置２０ｂを簡略化して示す断面図である。
【図１８】図１６のＳ１８−Ｓ１８切断面線から見た電子装置２０ｂを簡略化して示す断面図である。
【図１９】本発明の実施のさらに他の形態の電子装置２０ｃを簡略化して示す正面図である。
【図２０】閉状態にある電子装置２０ｃの要部を示す正面図である。
【００６８】
【図２１】閉状態にある電子装置２０ｃを簡略化して示す断面図である。
【図２２】開状態にある電子装置２０ｃの要部を示す正面図である。
【図２３】開状態にある電子装置２０ｃを簡略化して示す断面図である。
【図２４】本発明の実施のさらに他の形態の電子装置２０ｄを簡略化して示す正面図である。
【図２５】本発明の実施のさらに他の形態の電子装置２０ｅを簡略化して示す正面図である。
【図２６】第１の従来の技術の電子装置１を簡略化して示す正面図である。
【図２７】第２の従来の技術の電子装置７を簡略化して示す正面図である。
【符号の説明】
【００６９】
２０  電子装置
２１  キーボード
２２  本体ユニット
２３  表示部
２４  表示ユニット
２５  スライドヒンジ
２６  サイドキー
２７  ＬＥＤ
２８  操作部
２９  スピーカ
３０  スライドピン
３１  案内溝
３２  信号ケーブル
３３  隠れスイッチ
３４  領域
３５  回転ヒンジ
３６  貫通孔
【図１】
0004495077.tif 000002
【図２】
0004495077.tif 000003
【図３】
0004495077.tif 000004
【図４】
0004495077.tif 000005
【図５】
0004495077.tif 000006
【図６】
0004495077.tif 000007
【図７】
0004495077.tif 000008
【図８】
0004495077.tif 000009
【図９】
0004495077.tif 000010
【図１０】
0004495077.tif 000011
【図１１】
0004495077.tif 000012
【図１２】
0004495077.tif 000013
【図１３】
0004495077.tif 000014
【図１４】
0004495077.tif 000015
【図１５】
0004495077.tif 000016
【図１６】
0004495077.tif 000017
【図１７】
0004495077.tif 000018
【図１８】
0004495077.tif 000019
【図１９】
0004495077.tif 000020
【図２０】
0004495077.tif 000021
【図２１】
0004495077.tif 000022
【図２２】
0004495077.tif 000023
【図２３】
0004495077.tif 000024
【図２４】
0004495077.tif 000025
【図２５】
0004495077.tif 000026
【図２６】
0004495077.tif 000027
【図２７】
0004495077.tif 000028